(57)【要約】  本発明の実施形態は、セキュリティ保護の分野に関し、監視現場内の移動物体の局所的拡大を実現することができるビデオ監視方法、ビデオ監視装置、およびビデオ監視システムを開示するものである。本方法は、クライアントが、インテリジェント分析アラームおよび少なくとも1つのアラームトリガ物体の追跡情報を取得し、インテリジェント分析アラームに従ってユーザインターフェースのウィンドウレイアウトを調整するステップであって、インテリジェント分析アラームは、インテリジェント分析戦略に従って監視現場に侵入物体があると判定したときに、クライアント、監視プラットフォーム、またはカメラによってトリガされる、クライアントが、インテリジェント分析アラームおよび少なくとも1つのアラームトリガ物体の追跡情報を取得し、インテリジェント分析アラームに従ってユーザインターフェースのウィンドウレイアウトを調整するステップと、クライアントが、少なくとも1つのアラームトリガ物体の移動追跡情報に従って少なくとも1つのアラームトリガ物体上で局所的拡大を行うステップとを含む。本発明は重要な場所のビデオ監視に適用することができる。
2016526338.tif 000002
【特許請求の範囲】
【請求項１】
クライアントが、インテリジェント分析アラームおよび少なくとも1つのアラームトリガ物体の追跡情報を取得し、前記インテリジェント分析アラームに従ってユーザインターフェースのウィンドウレイアウトを調整するステップであって、前記インテリジェント分析アラームは、インテリジェント分析戦略に従って監視現場に侵入物体があると判定したときに、前記クライアント、監視プラットフォーム、またはカメラによってトリガされる、クライアントが、インテリジェント分析アラームおよび少なくとも1つのアラームトリガ物体の追跡情報を取得し、前記インテリジェント分析アラームに従ってユーザインターフェースのウィンドウレイアウトを調整する前記ステップと、
前記クライアントが、前記少なくとも1つのアラームトリガ物体の移動追跡情報に従って前記少なくとも1つのアラームトリガ物体上で局所的拡大を行うステップと
を含むビデオ監視方法。
【請求項２】
前記クライアントが、前記少なくとも1つのアラームトリガ物体が移動した後で、前記少なくとも1つのアラームトリガ物体の前記移動追跡情報を引き続き取得するステップと、
前記少なくとも1つのアラームトリガ物体が常に前記ユーザインターフェース内の対応するウィンドウのビデオ映像の中心に表示されるように、前記クライアントが、前記少なくとも1つのアラームトリガ物体の前記追跡情報に従って前記少なくとも1つのアラームトリガ物体上で局所的拡大を行うステップと
をさらに含む、請求項1に記載のビデオ監視方法。
【請求項３】
前記クライアントが、前記少なくとも1つのアラームトリガ物体の移動追跡情報に従って前記少なくとも1つのアラームトリガ物体上で局所的拡大を行う前記ステップは、
前記クライアントが、前記少なくとも1つのアラームトリガ物体の前記追跡情報から前記少なくとも1つのアラームトリガ物体の位置情報を取得するステップと、
前記クライアントが、現在のリアルタイム画像を取得し、前記リアルタイム画像を、前記少なくとも1つのアラームトリガ物体の前記位置情報と突き合わせて、前記リアルタイム画像内の前記少なくとも1つのアラームトリガ物体の位置を見つけるステップと、
前記クライアントが、前記リアルタイム画像内の前記少なくとも1つのアラームトリガ物体の前記位置を中心として用いて、前記少なくとも1つのアラームトリガ物体上で局所的拡大を行うステップと
を含む、請求項2に記載のビデオ監視方法。
【請求項４】
前記インテリジェント分析戦略に従って前記監視現場に侵入物体があると判定したときに前記インテリジェント分析アラームが前記クライアントによってトリガされる場合に、
クライアントが、インテリジェント分析アラームおよび少なくとも1つのアラームトリガ物体の追跡情報を取得し、インテリジェント分析アラームに従ってユーザインターフェースのウィンドウレイアウトを調整する前記ステップは、
前記クライアントが、ユーザによって構成されたインテリジェント分析戦略に従って前記監視現場に侵入物体があると判定したときに前記インテリジェント分析アラームをトリガし、前記少なくとも1つのアラームトリガ物体の前記追跡情報を記録するステップと、
前記クライアントが、前記インテリジェント分析アラームに従って前記ユーザインターフェースの前記ウィンドウレイアウトを調整するステップと
を含む、請求項1から3のいずれか一項に記載のビデオ監視方法。
【請求項５】
前記インテリジェント分析戦略に従って前記監視現場に侵入物体があると判定したときに前記インテリジェント分析アラームが前記監視プラットフォームによってトリガされる場合に、
クライアントが、インテリジェント分析アラームおよび少なくとも1つのアラームトリガ物体の追跡情報を取得し、インテリジェント分析アラームに従ってユーザインターフェースのウィンドウレイアウトを調整する前記ステップは、
前記クライアントが、ユーザによって構成されたインテリジェント分析戦略に従って前記監視現場に侵入物体があると判定したときに前記監視プラットフォームによって報告される前記インテリジェント分析アラームを受け取るステップと、
前記クライアントが、前記インテリジェント分析アラームを生成した後で前記監視プラットフォームによって取得される前記少なくとも1つのアラームトリガ物体の前記追跡情報を受け取るステップと
前記クライアントが、前記インテリジェント分析アラームに従って前記ユーザインターフェースの前記ウィンドウレイアウトを調整するステップと
を含む、請求項1から3のいずれか一項に記載のビデオ監視方法。
【請求項６】
監視プラットフォームが、ユーザによって構成されたインテリジェント分析戦略に従って監視現場に侵入物体があると判定したときにインテリジェント分析アラームをトリガし、少なくとも1つのアラームトリガ物体の追跡情報を記録するステップと、
前記監視プラットフォームが、クライアントが前記インテリジェント分析アラームに従ってユーザインターフェースのウィンドウレイアウトを調整し、前記少なくとも1つのアラームトリガ物体の移動追跡情報に従って前記少なくとも1つのアラームトリガ物体上で局所的拡大を行うように、前記インテリジェント分析アラームおよび前記少なくとも1つのアラームトリガ物体の前記追跡情報を前記クライアントへ送るステップと
を含むビデオ監視方法。
【請求項７】
インテリジェント分析アラームおよび少なくとも1つのアラームトリガ物体の追跡情報を取得する情報取得モジュールであって、前記インテリジェント分析アラームは、インテリジェント分析戦略に従って監視現場に侵入物体があると判定したときに、クライアント、監視プラットフォーム、またはカメラによってトリガされる、前記情報取得モジュールと、
前記情報取得モジュールによって取得される前記インテリジェント分析アラームに従ってユーザインターフェースのウィンドウレイアウトを調整するインターフェース調整モジュールと、
前記情報取得モジュールによって取得される前記少なくとも1つのアラームトリガ物体の移動追跡情報に従って前記少なくとも1つのアラームトリガ物体上で局所的拡大を行う局所的拡大モジュールと
を含むクライアント。
【請求項８】
前記情報取得モジュールは、さらに、前記少なくとも1つのアラームトリガ物体が移動した後で、前記少なくとも1つのアラームトリガ物体の前記追跡情報を引き続き取得し、
前記局所的拡大モジュールは、さらに、前記少なくとも1つのアラームトリガ物体が常に前記ユーザインターフェース内の対応するウィンドウのビデオ映像の中心に表示されるように、前記情報取得モジュールによって取得される前記少なくとも1つのアラームトリガ物体の前記追跡情報に従って前記少なくとも1つのアラームトリガ物体上で局所的拡大を行う、請求項7に記載のクライアント。
【請求項９】
前記局所的拡大モジュールは、
前記少なくとも1つのアラームトリガ物体の前記追跡情報から前記少なくとも1つのアラームトリガ物体の位置情報を取得する情報取得部であって、さらに、現在のリアルタイム画像を取得し、前記リアルタイム画像を前記少なくとも1つのアラームトリガ物体の前記位置情報と突き合わせて、前記リアルタイム画像内の前記少なくとも1つのアラームトリガ物体の位置を見つける、前記情報取得部と、
前記リアルタイム画像内の前記少なくとも1つのアラームトリガ物体の前記位置を中心として用いて前記少なくとも1つのアラームトリガ物体上で局所的拡大を行う局所的拡大部と
を含む、請求項8に記載のクライアント。
【請求項１０】
前記インテリジェント分析戦略に従って前記監視現場に侵入物体があると判定したときに前記インテリジェント分析アラームが前記クライアントによってトリガされる場合に、
前記情報取得モジュールは、具体的には、ユーザによって構成されたインテリジェント分析戦略に従って前記監視現場に侵入物体があると判定されるときに、前記インターフェース調整モジュールが前記インテリジェント分析アラームに従って前記ユーザインターフェースの前記ウィンドウレイアウトを調整するように、前記インテリジェント分析アラームをトリガし、前記少なくとも1つのアラームトリガ物体の前記追跡情報を記録する、請求項7から9のいずれか一項に記載のクライアント。
【請求項１１】
前記インテリジェント分析戦略に従って前記監視現場に侵入物体があると判定したときに前記インテリジェント分析アラームが前記監視プラットフォームによってトリガされる場合に、
前記情報取得モジュールは、具体的には、前記インターフェース調整モジュールが前記インテリジェント分析アラームに従って前記ユーザインターフェースの前記ウィンドウレイアウトを調整するように、ユーザによって構成されたインテリジェント分析戦略に従って前記監視現場に侵入物体があると判定したときに前記監視プラットフォームによって報告される前記インテリジェント分析アラームを受け取り、前記インテリジェント分析アラームを生成した後で前記監視プラットフォームによって取得される前記少なくとも1つのアラームトリガ物体の前記追跡情報を受け取る、請求項7から9のいずれか一項に記載のクライアント。
【請求項１２】
ユーザによって構成されたインテリジェント分析戦略に従って監視現場に侵入物体があると判定されるときにインテリジェント分析アラームをトリガし、少なくとも1つのアラームトリガ物体の追跡情報を記録する情報取得モジュールと、
クライアントが前記インテリジェント分析アラームに従ってユーザインターフェースのウィンドウレイアウトを調整し、前記少なくとも1つのアラームトリガ物体の移動追跡情報に従って前記少なくとも1つのアラームトリガ物体上で局所的拡大を行うように、前記クライアントへ、前記情報取得モジュールによって取得される前記インテリジェント分析アラームおよび前記少なくとも1つのアラームトリガ物体の前記追跡情報を送る情報送信モジュールと
を含む監視プラットフォーム。
【請求項１３】
クライアントと、監視プラットフォームと、カメラとを含み、前記クライアントは請求項7から11のいずれか一項に記載のクライアントであり、前記監視プラットフォームは請求項12に記載の監視プラットフォームである、ビデオ監視システム。
【発明の詳細な説明】
【技術分野】
【０００１】
本出願は、参照によりその全体が本明細書に組み入れられる、2013年5月28日付で中国特許庁に出願された、「VIDEO SURVEILLANCE METHOD, APPARATUS, AND SYSTEM」という名称の中国特許出願第201310203846.0号の優先権を主張するものである。
【０００２】
本発明は、セキュリティ保護の分野に関し、詳細には、ビデオ監視方法、ビデオ監視装置、およびビデオ監視システムに関する。
【背景技術】
【０００３】
近年においては、いくつかの重要な場所（空港など）のセキュリティを向上させるべく、通常、これらの重要な場所の監視を行うためのビデオ監視システムが配備されている。典型的なビデオ監視システムは、監視クライアント、監視プラットフォーム、およびカメラを含み、監視クライアントは、グラフィカル・ユーザ・インターフェースであり、ユーザとの対話を行うことができ、監視プラットフォームは、バックグラウンド・サービス・コンポーネントであり、リアルタイムのブラウジングやインテリジェント分析といった監視関連のサービス機能を完了することができ、カメラは、フロントエンド・ビデオ・キャプチャ・デバイスであり、現在の場所のリアルタイム画像を取り込み、分析するのに使用される。ビデオ監視システムは、境界侵入についてのインテリジェント分析規則を構成し、事前に構成された境界範囲内へ侵入する移動物体に関するアラームを生成して、ユーザにその侵入に対処するよう促す。移動物体が画像のほんの一部を占め、詳細がはっきり見えない広範囲の監視現場については、先行技術では、移動物体の局所的拡大を行うために、マルチターゲット追跡システムが使用される（すなわち、固定式箱形カメラおよび高速PTZカメラが配備される。箱形カメラがアラーム画像を取り込むと、箱形カメラは、直ちに最も近くのPTZカメラにリンクされ、PTZカメラを用いて移動物体の短距離追跡を行う）。
【０００４】
しかし、前述のビデオ監視の遂行時には、本発明者の所見によれば、2台のカメラがマルチターゲット追跡を遂行するように配備されている必要があり、比較的高い配備費用、ならびに比較的多くの設置およびコミッショニングの作業量を生じる。加えて、マルチターゲット追跡システムにおいては、箱形カメラおよびPTZカメラとしてアナログカメラしか配備することができず、ネットワークカメラがマルチターゲット追跡を遂行することができず、したがって、移動物体の局所的拡大を行うことができない。
【０００５】
近年においては、いくつかの重要な場所（空港など）のセキュリティを向上させるべく、通常、これらの重要な場所の監視を行うためのビデオ監視システムが配備されている。典型的なビデオ監視システムは、監視クライアント、監視プラットフォーム、およびカメラを含み、監視クライアントは、グラフィカル・ユーザ・インターフェースであり、ユーザとの対話を行うことができ、監視プラットフォームは、バックグラウンド・サービス・コンポーネントであり、リアルタイムのブラウジングやインテリジェント分析といった監視関連のサービス機能を完了することができ、カメラは、フロントエンド・ビデオ・キャプチャ・デバイスであり、現在の場所のリアルタイム画像を取り込み、分析するのに使用される。ビデオ監視システムは、境界侵入についてのインテリジェント分析規則を構成し、事前に構成された境界範囲内へ侵入する移動物体に関するアラームを生成して、ユーザにその侵入に対処するよう促す。移動物体が画像のほんの一部を占め、詳細がはっきりと分からない広範囲の監視現場については、先行技術では、移動物体の局所的拡大を行うために、マルチターゲット追跡システムが使用される（すなわち、固定式箱形カメラおよび高速PTZカメラが配備される。箱形カメラがアラーム画像を取り込むと、箱形カメラは、直ちに最も近いPTZカメラにリンクされ、PTZカメラを用いて移動物体の短距離追跡を行う）。
【０００６】
しかし、前述のビデオ監視の遂行時には、本発明者の所見によれば、2台のカメラがマルチターゲット追跡を遂行するように配備されている必要があり、比較的高い配備費用、ならびに比較的多くの設置およびコミッショニングの作業量を生じる。加えて、マルチターゲット追跡システムにおいては、箱形カメラおよびPTZカメラとしてアナログカメラしか配備することができず、ネットワークカメラがマルチターゲット追跡を遂行することができず、したがって、移動物体の局所的拡大を行うことができない。
【発明の概要】
【課題を解決するための手段】
【０００７】
本発明の実施形態における、または先行技術における技術的解決策をより明確に説明するために、以下に、各実施形態または先行技術を説明するのに必要とされる添付の図面について簡単に記述する。明らかに、以下の説明の添付の図面は、単に、本発明のいくつかの実施形態を示すにすぎず、当業者は、これら添付の図面から難なく他の図面をさらに導出することができる。
【図面の簡単な説明】
【０００８】
【図１】本発明の一実施形態によるクライアント側でのビデオ監視方法の概略的流れ図である。
【図２】本発明の一実施形態によるクライアント側での別のビデオ監視方法の概略的流れ図である。
【図３】本発明の一実施形態による監視プラットフォーム側でのビデオ監視方法の概略的流れ図である。
【図４】本発明の一実施形態によるクライアントの概略的構造図である。
【図５】本発明の一実施形態による別のクライアントの概略的構造図である。
【図６】本発明の一実施形態による監視プラットフォームの概略的構造図である。
【図７】本発明の別の実施形態によるクライアントの概略的構造図である。
【図８】本発明の別の実施形態による監視プラットフォームの概略的構造図である。
【図９】本発明の一実施形態によるビデオ監視システムの概略図である。
【発明を実施するための形態】
【０００９】
以下で、本発明の実施形態における添付の図面を参照して、本発明の実施形態における技術的解決策を明確に、十分に説明する。明らかに、説明される実施形態は、本発明の実施形態の全部ではなく、一部であるにすぎない。本発明の実施形態に基づいて当業者によって難なく得られる他のすべての実施形態は、本発明の保護範囲内に含まれるものである。
【００１０】
本発明の一実施形態は、クライアントによって実装されうるビデオ監視方法を提供する。図1および図2に示すように、本ビデオ監視方法は以下のステップを含む。
【００１１】
101．クライアントが、インテリジェント分析アラームおよび少なくとも1つのアラームトリガ物体の追跡情報を取得し、インテリジェント分析アラームに従ってユーザインターフェースのウィンドウレイアウトを調整する。
【００１２】
インテリジェント分析アラームは、インテリジェント分析戦略に従って監視現場に侵入物体があると判定したときに、クライアント、監視プラットフォーム、またはカメラによってトリガされる。インテリジェント分析戦略は、それだけに限らず、ここで例として記述するにすぎないが、以下の4つの戦略、すなわち、境界侵入検知戦略、仕掛け線検知戦略、徘徊検知戦略、および存在検知戦略を含む。
【００１３】
任意選択で、本発明の本実施形態のステップ101の前に、ユーザは、クライアントにおいて、適正なウィンドウレイアウト（例えば「4＋1」ウィンドウレイアウトなど、1つの具体的レイアウトが、上段に大きなペインを、下段に同じサイズの4つの小さいペインを含み、4つの小さいペインは日常的現場監視に使用され、上段の大きいペインは、境界侵入アラーム（すなわち、インテリジェント分析アラーム）が発生した場合に、アラームトリガ物体を追跡するのに使用される）を設定する必要があり、それによって、ユーザは、全監視現場の画像と近距離での移動物体追跡の画像とを比較して、監視現場の状況をより適切に知ることができ、いつでも移動侵入物体に対処することができる。加えて、1つの具体的用途において、ユーザは、実際の適用シナリオに従っていつでもウィンドウレイアウトを調整することもできる。具体的には、クライアントがインテリジェント分析アラームを取得した後で、クライアントは、ユーザインターフェース内のウィンドウを適正なレイアウトに合わせて調整し始め、後で長方形の枠で囲まれたアラームトリガ物体上で局所的拡大を行うために、インテリジェント分析アラームをトリガするアラームトリガ物体を長方形の枠を用いて枠で囲む。
【００１４】
具体的には、インテリジェント分析アラームは、インテリジェント分析を通じて監視現場に侵入物体があると判定したときにクライアントによってトリガされるアラームとすることもでき、インテリジェント分析を通じて監視現場に侵入物体があると判定したときに監視プラットフォームまたはカメラによって報告されるアラームとすることもできる。
【００１５】
任意選択で、インテリジェント分析戦略に従って監視現場に侵入物体があると判定したときにインテリジェント分析アラームがクライアントによってトリガされる場合であって、インテリジェント分析戦略がユーザによって構成される場合に、具体的には、ステップ101は以下のステップを含む。
【００１６】
101a1．ユーザによって構成されたインテリジェント分析戦略に従って監視現場に侵入物体があると判定したときに、クライアントは、インテリジェント分析アラームをトリガし、少なくとも1つのアラームトリガ物体の追跡情報を記録する。
【００１７】
101a2．クライアントは、インテリジェント分析アラームに従ってユーザインターフェースのウィンドウレイアウトを調整する。
【００１８】
具体的には、クライアントは、まず、カメラによって監視プラットフォームを介して送られたオーディオ−ビデオストリームを復号してリアルタイムのビデオ画像を取得し、次いで、インテリジェント分析戦略に従い、復号後に取得されたリアルタイムのビデオ画像に基づいてインテリジェント分析を行う。インテリジェントアラームがトリガされる場合（すなわち、カメラの監視現場の範囲内に移動侵入物体があるとき）、インテリジェント分析アラームが生成される。次いで、クライアントは、ユーザインターフェース内の各ウィンドウを、インテリジェント分析アラームに従って適正なレイアウトに合わせて調整し、インテリジェント分析アラームをトリガするアラームトリガ物体上で局所的拡大を行う。
【００１９】
任意選択で、インテリジェント分析戦略に従って監視現場に侵入物体があると判定したときにインテリジェント分析アラームが監視プラットフォームによってトリガされる場合であって、インテリジェント分析戦略を、監視プラットフォームのためにユーザが構成することができ、またはクライアントのためにユーザが構成し、次いで、監視プラットフォームのためにクライアントが構成することができる場合。具体的には、ステップ101は、具体的には、以下のステップを含む。
【００２０】
101b1．クライアントは、ユーザによって構成されたインテリジェント分析戦略に従って監視現場に侵入物体があると判定したときに監視プラットフォームによって報告されるインテリジェント分析アラームを受け取る。
【００２１】
101b2．クライアントは、インテリジェント分析アラームを生成した後で監視プラットフォームによって取得される少なくとも1つのアラームトリガ物体の追跡情報を受け取る。
【００２２】
101b3．クライアントは、インテリジェント分析アラームに従ってユーザインターフェースのウィンドウレイアウトを調整する。
【００２３】
具体的には、監視プラットフォームは、カメラによって送られたオーディオ−ビデオストリームを復号してリアルタイムのビデオ画像を取得し、次いで、インテリジェント分析戦略に従い、復号後に取得されたリアルタイムのビデオ画像に基づいてインテリジェント分析を行う。インテリジェントアラームがトリガされる場合（すなわち、カメラの監視現場の範囲内に移動侵入物体があるとき）、インテリジェント分析アラームが生成され、少なくとも1つのアラームトリガ物体の追跡情報が記録され、インテリジェント分析アラームおよび少なくとも1つのアラームトリガ物体の追跡情報が、一緒に、または別々にクライアントに報告される。最後に、クライアントは、ユーザインターフェース内の各ウィンドウを、受け取ったインテリジェント分析アラームに従って適正なレイアウトに合わせて調整し、インテリジェント分析アラームをトリガするアラームトリガ物体上で局所的拡大を行う。
【００２４】
任意選択で、インテリジェント分析アラームが、インテリジェント分析戦略に従って監視現場に侵入物体があると判定したときにカメラによって生成される場合であって、インテリジェント分析戦略を、カメラのためにユーザが構成することができ、またはクライアントのためにユーザが構成し、次いで、監視プラットフォームのためにクライアントが構成し、最後に、カメラのために監視プラットフォームが構成することができる場合。1つの具体的プロセスは、監視プラットフォームがインテリジェント分析を行う前述のプロセスと同じであり、詳細はここで再度記述しない。
【００２５】
しかし、カメラがインテリジェント分析を行う場合に、そのカメラはネットワークカメラでしかあり得ないことに留意すべきである。カメラがインテリジェント分析を行わず、ビデオ画像を取り込むためにだけ使用される場合には、すなわち、監視現場にただ1台のカメラを配備することにより監視現場内の移動物体の短距離追跡を遂行することができ、それによって費用が低減される。具体的には、カメラは、ネットワークカメラとすることもでき、アナログカメラとすることもできる。
【００２６】
102．クライアントは、少なくとも1つのアラームトリガ物体の移動追跡情報に従って少なくとも1つのアラームトリガ物体上で局所的拡大を行う。
【００２７】
任意選択で、図2に示すように、ステップ102は、具体的には、以下のステップを含む。
【００２８】
102a．クライアントは、少なくとも1つのアラームトリガ物体の追跡情報から少なくとも1つのアラームトリガ物体の位置情報を取得する。
【００２９】
具体的には、インテリジェント分析アラームを取得し次第、クライアントは、アラームトリガ物体追跡機能を使用可能にし、それに応じて、少なくとも1つのアラームトリガ物体の追跡情報が、リアルタイム追跡により、カメラによって取得される。クライアントは、少なくとも1つのアラームトリガ物体の追跡情報からアラームトリガ物体の位置情報を抽出する。具体的には、アラームトリガ物体の具体的位置は、クライアントの1つの小さいウィンドウにおいて長方形の枠を用いて表すことができる。
【００３０】
102b．クライアントは、現在のリアルタイム画像を取得し、リアルタイム画像を、少なくとも1つのアラームトリガ物体の位置情報と突き合わせて、リアルタイム画像内の少なくとも1つのアラームトリガ物体の位置を見つける。
【００３１】
具体的には、クライアントは、カメラによって監視プラットフォームを介して送られたオーディオ−ビデオストリームを受け取り、オーディオ−ビデオストリームを構文解析してオーディオ−ビデオストリームに対応するリアルタイム画像を表示し、リアルタイム画像を少なくとも1つのアラームトリガ物体の位置情報と突き合わせて、リアルタイム画像内の少なくとも1つのアラームトリガ物体の位置を見つける。
【００３２】
102c．クライアントは、リアルタイム画像内の少なくとも1つのアラームトリガ物体の位置を中心として用いて、少なくとも1つのアラームトリガ物体上で局所的拡大を行う。
【００３３】
任意選択で、ステップ102の後に、本方法は以下をさらに含む。
【００３４】
103a．少なくとも1つのアラームトリガ物体が移動した後で、少なくとも1つのアラームトリガ物体の追跡情報を引き続き取得する。
【００３５】
103b．クライアントは、少なくとも1つのアラームトリガ物体が常にユーザインターフェース内の対応するウィンドウのビデオ映像の中心に表示されるように、少なくとも1つのアラームトリガ物体の追跡情報に従って少なくとも1つのアラームトリガ物体上で局所的拡大を行う。
【００３６】
具体的には、クライアントは、カメラ自体によって報告された、または監視プラットフォームを介してカメラによって報告されたオーディオ−ビデオストリームを復号して、リアルタイムのビデオ画像を取得し、次いで、少なくとも1つのアラームトリガ物体の位置情報をリアルタイムの画像と比較して、リアルタイムのビデオ画像において、リアルタイムビデオ画像内の少なくとも1つのアラームトリガ物体の位置を見つけ、リアルタイムのビデオ画像内の少なくとも1つのアラームトリガ物体の位置を中止として用いて、局所的拡大を行う。「4＋1」ウィンドウレイアウトが用いられる場合、小さいペイン内のアラームトリガ物体の位置を長方形の枠によって表すことができ、そのため、移動物体の周りの詳細がはっきりと見え、また、長方形の枠内の画像は見やすいように拡大され、上段の大きいペインに表示される。物体が移動した後で、クライアントは、引き続き、移動物体を中心として用いて局所的拡大を行い、局所的に拡大された画像を上段の大きいペインに表示することができるように、移動物体の追跡情報を引き続き取得する。このようにして、移動物体は常に画像の中心に表示され、ユーザは、下段ペイン内のビデオに従って監視現場全体を監視し続けることができる。
【００３７】
加えて、複数のアラームトリガ物体が監視現場において検知される場合、クライアントは、監視プラットフォームまたはカメラによって報告される複数のトリガ物体の追跡情報を取得し、または受け取り、複数のペインを使用して、各アラームトリガ物体を中心として用いて局所的に拡大された画像を同時に表示する。
【００３８】
本発明の本実施形態で提供されるビデオ監視方法においては、クライアントが、インテリジェント分析戦略に従って監視現場に侵入物体があると判定したときに、クライアント自体、監視プラットフォーム、またはカメラによってトリガされるインテリジェント分析アラームに従って、ユーザインターフェースのウィンドウレイアウトを調整し、少なくとも1つのアラームトリガ物体の追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００３９】
本発明の一実施形態は、監視プラットフォーム側でのビデオ監視方法を提供する。図3に示すように、本ビデオ監視方法は、具体的には、以下のステップを含む。
【００４０】
201．ユーザによって構成されたインテリジェント分析戦略に従って監視現場に侵入物体があると判定したときに、監視プラットフォームが、インテリジェント分析アラームをトリガし、インテリジェント分析アラームをクライアントに報告し、少なくとも1つのアラームトリガ物体の追跡情報を記録する。
【００４１】
インテリジェント分析戦略は、それだけに限らず、ここで例として記述するにすぎないが、以下の4つの戦略、すなわち、境界侵入検知戦略、仕掛け線検知戦略、徘徊検知戦略、および存在検知戦略を含む。具体的には、インテリジェント分析戦略は、監視プラットフォームのためにユーザが構成することもでき、クライアントのためにユーザが構成し、次いで、監視プラットフォームのためにクライアントが構成することもできる。
【００４２】
202．監視プラットフォームは、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、インテリジェント分析アラームおよび少なくとも1つのアラームトリガ物体の追跡情報をクライアントへ送る。
【００４３】
本発明の本実施形態で提供されるビデオ監視方法においては、監視プラットフォームがクライアントへ、監視プラットフォームがインテリジェント分析戦略に従って監視現場に侵入物体があると判定したときに、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、トリガされたインテリジェント分析アラームおよび記録された少なくとも1つのアラームトリガ物体の追跡情報を送る。本発明では、ただ1台のカメラを配備しさえすればよく、それによって、2台のカメラを配備することによって生じる無駄な費用が回避され、アラームトリガ物体上での局所的拡大の効率が改善される。
【００４４】
本発明の一実施形態はクライアントを提供する。図4および図5に示すように、クライアントは、前述のビデオ監視方法を遂行するのに使用され、具体的には、クライアント3は、情報取得モジュール31と、インターフェース調整モジュール32と、局所的拡大モジュール33とを含む。
【００４５】
情報取得モジュール31は、インテリジェント分析アラームおよび少なくとも1つのアラームトリガ物体の追跡情報を取得し、インテリジェント分析アラームは、インテリジェント分析戦略に従って監視現場に侵入物体があると判定したときに、クライアント、監視プラットフォーム、またはカメラによってトリガされる。
【００４６】
インターフェース調整モジュール32は、情報取得モジュール31によって取得されるインテリジェント分析アラームに従ってユーザインターフェースのウィンドウレイアウトを調整する。
【００４７】
局所的拡大モジュール33は、情報取得モジュール31によって取得される少なくとも1つのアラームトリガ物体の移動追跡情報に従って少なくとも1つのアラームトリガ物体上で局所的拡大を行う。
【００４８】
任意選択で、情報取得モジュール31は、さらに、少なくとも1つのアラームトリガ物体が移動した後で、少なくとも1つのアラームトリガ物体の追跡情報を引き続き取得する。
【００４９】
局所的拡大モジュール33は、さらに、少なくとも1つのアラームトリガ物体が常にユーザインターフェース内の対応するウィンドウのビデオ映像の中心に表示されるように、情報取得モジュール31によって取得される少なくとも1つのアラームトリガ物体の追跡情報に従って少なくとも1つのアラームトリガ物体上で局所的拡大を行う。
【００５０】
任意選択で、図5に示すように、局所的拡大モジュール33は、情報取得部331と局所的拡大部332とを含む。
【００５１】
情報取得部331は、少なくとも1つのアラームトリガ物体の追跡情報から少なくとも1つのアラームトリガ物体の位置情報を取得する。
【００５２】
情報取得部331は、さらに、現在のリアルタイム画像を取得し、リアルタイム画像を少なくとも1つのアラームトリガ物体の位置情報と突き合わせて、リアルタイム画像内の少なくとも1つのアラームトリガ物体の位置を見つける。
【００５３】
局所的拡大部332は、リアルタイム画像内の少なくとも1つのアラームトリガ物体の位置を中心として用いて、少なくとも1つのアラームトリガ物体上で局所的拡大を行う。
【００５４】
任意選択で、インテリジェント分析戦略に従って監視現場に侵入物体があると判定したときにインテリジェント分析アラームがクライアントによってトリガされる場合に、
情報取得モジュール31は、具体的には、ユーザによって構成されたインテリジェント分析戦略に従って監視現場に侵入物体があると判定されるときに、インターフェース調整モジュール32がインテリジェント分析アラームに従ってユーザインターフェースのウィンドウレイアウトを調整するように、インテリジェント分析アラームをトリガし、少なくとも1つのアラームトリガ物体の追跡情報を記録する。
【００５５】
任意選択で、インテリジェント分析戦略に従って監視現場に侵入物体があると判定したときにインテリジェント分析アラームが監視プラットフォームによってトリガされる場合に、
情報取得モジュール31は、具体的には、ユーザによって構成されたインテリジェント分析戦略に従って監視現場に侵入物体があると判定したときに、インターフェース調整モジュール32がインテリジェント分析アラームに従ってユーザインターフェースのウィンドウレイアウトを調整するように、監視プラットフォームによって報告されるインテリジェント分析アラームを受け取り、インテリジェント分析アラームを生成した後で監視プラットフォームによって取得される少なくとも1つのアラームトリガ物体の追跡情報を受け取る。
【００５６】
本発明の本実施形態で提供されるクライアントは、インテリジェント分析戦略に従って監視現場に侵入物体があると判定したときに、クライアント自体、監視プラットフォーム、またはカメラによってトリガされるインテリジェント分析アラームに従って、ユーザインターフェースのウィンドウレイアウトを調整し、少なくとも1つのアラームトリガ物体の追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００５７】
本発明の一実施形態は監視プラットフォームを提供する。図6に示すように、監視プラットフォームは、前述のビデオ監視方法を遂行するのに使用され、具体的には、監視プラットフォーム4は、情報取得モジュール41と、情報送信モジュール42とを含む。
【００５８】
情報取得モジュール41は、ユーザによって構成されたインテリジェント分析戦略に従って監視現場に侵入物体があると判定されるときに、インテリジェント分析アラームをトリガし、少なくとも1つのアラームトリガ物体の追跡情報を記録する。
【００５９】
情報送信モジュール42は、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、クライアントへ、情報取得モジュール41によって取得されるインテリジェント分析アラームおよび少なくとも1つのアラームトリガ物体の追跡情報を送る。
【００６０】
本発明の本実施形態で提供される監視プラットフォームは、監視プラットフォームがインテリジェント分析戦略に従って監視現場に侵入物体があると判定したときに、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、クライアントへ、トリガされたインテリジェント分析アラームおよび記録された少なくとも1つのアラームトリガ物体の追跡情報を送る。本発明では、ただ1台のカメラを配備しさえすればよく、それによって、2台のカメラを配備することによって生じる無駄な費用が回避され、アラームトリガ物体上での局所的拡大の効率が改善される。
【００６１】
本発明の一実施形態はクライアントを提供する。図7に示すように、クライアント5は、プロセッサ51と受信機52とを含む。
【００６２】
プロセッサ51は、インテリジェント分析アラームおよび少なくとも1つのアラームトリガ物体の追跡情報を取得し、インテリジェント分析アラームに従ってユーザインターフェースのウィンドウレイアウトを調整し、インテリジェント分析アラームは、インテリジェント分析戦略に従って監視現場に侵入物体があると判定したときに、クライアント、監視プラットフォーム、またはカメラによってトリガされる。
【００６３】
プロセッサ51は、さらに、少なくとも1つのアラームトリガ物体の移動追跡情報に従って少なくとも1つのアラームトリガ物体上で局所的拡大を行う。
【００６４】
任意選択で、プロセッサ51は、さらに、少なくとも1つのアラームトリガ物体が常にユーザインターフェース内の対応するウィンドウのビデオ映像の中心に表示されるように、少なくとも1つのアラームトリガ物体が移動した後で少なくとも1つのアラームトリガ物体の追跡情報を引き続き取得し、少なくとも1つのアラームトリガ物体の追跡情報に従って少なくとも1つのアラームトリガ物体上で局所的拡大を行う。
【００６５】
任意選択で、プロセッサ51は、具体的には、少なくとも1つのアラームトリガ物体の追跡情報から少なくとも1つのアラームトリガ物体の位置情報を取得し、現在のリアルタイム画像を取得し、リアルタイム画像を少なくとも1つのアラームトリガ物体の位置情報と突き合わせて、リアルタイム画像内の少なくとも1つのアラームトリガ物体の位置を見つけ、リアルタイム画像内の少なくとも1つのアラームトリガ物体の位置を中心として用いて少なくとも1つのアラームトリガ物体上で局所的拡大を行う。
【００６６】
任意選択で、インテリジェント分析戦略に従って監視現場に侵入物体があると判定したときにインテリジェント分析アラームがクライアントによってトリガされる場合に、
プロセッサ51は、さらに、ユーザによって構成されたインテリジェント分析戦略に従って監視現場に侵入物体があると判定されるときに、インテリジェント分析アラームをトリガし、少なくとも1つのアラームトリガ物体の追跡情報を記録する。
【００６７】
プロセッサ51は、さらに、インテリジェント分析アラームに従ってユーザインターフェースのウィンドウレイアウトを調整する。
【００６８】
任意選択で、インテリジェント分析戦略に従って監視現場に侵入物体があると判定したときにインテリジェント分析アラームが監視プラットフォームによってトリガされる場合に、
受信機52は、ユーザによって構成されたインテリジェント分析戦略に従って監視現場に侵入物体があると判定したときに監視プラットフォームによって報告されるインテリジェント分析アラームを受け取る。
【００６９】
受信機52は、さらに、インテリジェント分析アラームを生成した後で監視プラットフォームによって取得される少なくとも1つのアラームトリガ物体の追跡情報を受け取る。
【００７０】
プロセッサ51は、さらに、インテリジェント分析アラームに従ってユーザインターフェースのウィンドウレイアウトを調整する。
【００７１】
本発明の本実施形態で提供されるクライアントは、インテリジェント分析戦略に従って監視現場に侵入物体があると判定したときに、クライアント自体、監視プラットフォーム、またはカメラによってトリガされるインテリジェント分析アラームに従って、ユーザインターフェースのウィンドウレイアウトを調整し、少なくとも1つのアラームトリガ物体の追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００７２】
本発明の一実施形態は監視プラットフォームを提供する。図8に示すように、監視プラットフォーム6は、送信機61とプロセッサ62とを含む。
【００７３】
プロセッサ62は、ユーザによって構成されたインテリジェント分析戦略に従って監視現場に侵入物体があると判定されるときに、インテリジェント分析アラームをトリガし、少なくとも1つのアラームトリガ物体の追跡情報を記録する。
【００７４】
送信機61は、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、インテリジェント分析アラームおよび少なくとも1つのアラームトリガ物体の追跡情報をクライアントへ送る。
【００７５】
本発明の本実施形態で提供される監視プラットフォームは、監視プラットフォームがインテリジェント分析戦略に従って監視現場に侵入物体があると判定したときに、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、クライアントへ、トリガされたインテリジェント分析アラームおよび記録された少なくとも1つのアラームトリガ物体の追跡情報を送る。本発明では、ただ1台のカメラを配備しさえすればよく、それによって、2台のカメラを配備することによって生じる無駄な費用が回避され、アラームトリガ物体上での局所的拡大の効率が改善される。
【００７６】
本発明の一実施形態はビデオ監視システムを提供する。図9に示すように、ビデオ監視システム7は、クライアント71と監視プラットフォーム72とカメラ73とを含む。クライアント71は、前述のクライアントのうちの任意の1つであり、監視プラットフォーム72は、前述の監視プラットフォームのうちの任意の1つであり、カメラ73は、前述のカメラのうちの任意の1つである。
【００７７】
具体的には、ビデオ監視システムは、クライアントと監視プラットフォームとカメラの3つの部分に分けられる。しかし、1つの具体的実装形態において、クライアントと監視プラットフォームは統合されていてよい。
【００７８】
本発明の本実施形態で提供されるビデオ監視システムにおいて、クライアントは、インテリジェント分析戦略に従って監視現場に侵入物体があると判定したときに、クライアント自体、監視プラットフォーム、またはカメラによってトリガされるインテリジェント分析アラームに従って、ユーザインターフェースのウィンドウレイアウトを調整し、少なくとも1つのアラームトリガ物体の追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００７９】
当業者は、前述の方法実施形態の各ステップの全部または一部を関連ハードウェアに命令するプログラムによって実装することができることを理解するであろう。前述のプログラムは、コンピュータ可読記憶媒体に記憶することができる。プログラムが走ると、前述の方法の各ステップが行われる。前述の記憶媒体は、ROM、RAM、磁気ディスク、光ディスクといった、プログラムコードを記憶することのできる任意の媒体を含む。
【００８０】
以上の説明は、単に、本発明の具体的実装態様であるにすぎず、本発明の保護範囲を限定するためのものではない。本発明で開示される技術的範囲内で当業者によって容易に考案されるいかなる変形も置換も、本発明の保護範囲内に含まれるものとする。したがって、本発明の保護範囲は、特許請求の範囲の保護範囲に従うものとする。
【符号の説明】
【００８１】
3  クライアント
4  監視プラットフォーム
5  クライアント
6  監視プラットフォーム
7  ビデオ監視システム
31  情報取得モジュール
32  インターフェース調整モジュール
33  局所的拡大モジュール
41  情報取得モジュール
42  情報送信モジュール
51  プロセッサ
52  受信機
61  送信機
62  プロセッサ
71  クライアント
72  監視プラットフォーム
73  カメラ
331  情報取得部
332  局所的拡大部
【図１】
2016526338.tif 000003
【図２】
2016526338.tif 000004
【図３】
2016526338.tif 000005
【図４】
2016526338.tif 000006
【図５】
2016526338.tif 000007
【図６】
2016526338.tif 000008
【図７】
2016526338.tif 000009
【図８】
2016526338.tif 000010
【図９】
2016526338.tif 000011
【手続補正書】
【提出日】平成27年11月25日(2015.11.25)
【手続補正１】
【補正対象書類名】明細書
【補正対象項目名】全文
【補正方法】変更
【補正の内容】
【発明の詳細な説明】
【技術分野】
【０００１】
本出願は、参照によりその全体が本明細書に組み入れられる、2013年5月28日付で中国特許庁に出願された、「VIDEO SURVEILLANCE METHOD, APPARATUS, AND SYSTEM」という名称の中国特許出願第201310203846.0号の優先権を主張するものである。
【０００２】
本発明は、セキュリティ保護の分野に関し、詳細には、ビデオ監視方法、ビデオ監視装置、およびビデオ監視システムに関する。
【背景技術】
【０００３】
近年においては、いくつかの重要な場所（空港など）のセキュリティを向上させるべく、通常、これらの重要な場所の監視を行うためのビデオ監視システムが配備されている。典型的なビデオ監視システムは、監視クライアント、監視プラットフォーム、およびカメラを含み、監視クライアントは、グラフィカル・ユーザ・インターフェースであり、ユーザとの対話を行うことができ、監視プラットフォームは、バックグラウンド・サービス・コンポーネントであり、リアルタイムのブラウジングやインテリジェント分析といった監視関連のサービス機能を完了することができ、カメラは、フロントエンド・ビデオ・キャプチャ・デバイスであり、現在の場所のリアルタイム画像を取り込み、分析するのに使用される。ビデオ監視システムは、境界侵入についてのインテリジェント分析規則を構成し、事前に構成された境界範囲内へ侵入する移動物体に関するアラームを生成して、ユーザにその侵入に対処するよう促す。移動物体が画像のほんの一部を占め、詳細がはっきりと分からない広範囲の監視現場については、先行技術では、移動物体の局所的拡大を行うために、マルチターゲット追跡システムが使用される（すなわち、固定式箱形カメラおよび高速PTZカメラが配備される。箱形カメラがアラーム画像を取り込むと、箱形カメラは、直ちにPTZカメラにリンクされ、PTZカメラを用いて移動物体の短距離追跡を行う）。
【０００４】
しかし、前述のビデオ監視の遂行時には、2台のカメラがマルチターゲット追跡を遂行するように配備されている必要があり、高い配備費用、ならびに比較的多くの設置およびコミッショニングの作業量を生じる。加えて、マルチターゲット追跡システムにおいては、箱形カメラおよびPTZカメラとしてアナログカメラしか配備することができず、ネットワークカメラがマルチターゲット追跡を遂行することができず、したがって、移動物体の局所的拡大を行うことができない。
【発明の概要】
【０００５】
本発明の実施形態は、監視現場内の移動物体の局所的拡大を実現することができるビデオ監視方法、ビデオ監視装置、およびビデオ監視システムを提供する。
【０００６】
前述の目的を達成するために、本発明の実施形態は、以下の技術解決策を提供する。
【課題を解決するための手段】
【０００７】
第1の態様によれば、ビデオ監視方法が提供され、本方法は、
クライアントが、インテリジェント分析アラームおよび少なくとも1つのアラームトリガ物体の移動追跡情報を取得し、インテリジェント分析アラームに従ってユーザインターフェースのウィンドウレイアウトを調整するステップであって、インテリジェント分析アラームは、インテリジェント分析戦略に従って監視現場に侵入物体があると判定したときに、クライアント、監視プラットフォーム、またはカメラによってトリガされる、クライアントが、インテリジェント分析アラームおよび少なくとも1つのアラームトリガ物体の移動追跡情報を取得し、インテリジェント分析アラームに従ってユーザインターフェースのウィンドウレイアウトを調整するステップと、
クライアントが、少なくとも1つのアラームトリガ物体の移動追跡情報に従って少なくとも1つのアラームトリガ物体上で局所的拡大を行うステップと
を含む。
【０００８】
第1の態様に関連して、第1の可能な実施態様において、本方法は、
クライアントが、少なくとも1つのアラームトリガ物体が移動した後で、少なくとも1つのアラームトリガ物体の移動追跡情報を引き続き取得するステップと、
少なくとも1つのアラームトリガ物体が常にユーザインターフェース内の対応するウィンドウのビデオ映像の中心に表示されるように、クライアントが、少なくとも1つのアラームトリガ物体の移動追跡情報に従って少なくとも1つのアラームトリガ物体上で局所的拡大を行うステップと
をさらに含む。
【０００９】
第1の態様の第1の可能な実施態様に関連して、第2の可能な実施態様において、
クライアントが、少なくとも1つのアラームトリガ物体の移動追跡情報に従って少なくとも1つのアラームトリガ物体上で局所的拡大を行うステップは、
クライアントが、少なくとも1つのアラームトリガ物体の移動追跡情報から少なくとも1つのアラームトリガ物体の位置情報を取得するステップと、
クライアントが、現在のリアルタイム画像を取得し、リアルタイム画像を、少なくとも1つのアラームトリガ物体の位置情報と突き合わせて、リアルタイム画像内の少なくとも1つのアラームトリガ物体の位置を見つけるステップと、
クライアントが、リアルタイム画像内の少なくとも1つのアラームトリガ物体の位置を中心として用いて、少なくとも1つのアラームトリガ物体上で局所的拡大を行うステップと
を含む。
【００１０】
第1の態様に関連して、第1の態様の第3の可能な実施態様において、
インテリジェント分析戦略に従って監視現場に侵入物体があると判定したときにインテリジェント分析アラームがクライアントによってトリガされる場合に、
クライアントが、インテリジェント分析アラームおよび少なくとも1つのアラームトリガ物体の移動追跡情報を取得し、インテリジェント分析アラームに従ってユーザインターフェースのウィンドウレイアウトを調整するステップは、
クライアントが、ユーザによって構成されたインテリジェント分析戦略に従って監視現場に侵入物体があると判定したときにインテリジェント分析アラームをトリガし、少なくとも1つのアラームトリガ物体の移動追跡情報を記録するステップと、
クライアントが、インテリジェント分析アラームに従ってユーザインターフェースのウィンドウレイアウトを調整するステップと
を含む。
【００１１】
第1の態様に関連して、第1の態様の第4の可能な実施態様において、
インテリジェント分析戦略に従って監視現場に侵入物体があると判定したときにインテリジェント分析アラームが監視プラットフォームによってトリガされる場合に、
クライアントが、インテリジェント分析アラームおよび少なくとも1つのアラームトリガ物体の移動追跡情報を取得し、インテリジェント分析アラームに従ってユーザインターフェースのウィンドウレイアウトを調整するステップは、
クライアントが、ユーザによって構成されたインテリジェント分析戦略に従って監視現場に侵入物体があると判定したときに監視プラットフォームによって報告されるインテリジェント分析アラームを受け取るステップと、
クライアントが、インテリジェント分析アラームを生成した後で監視プラットフォームによって取得される少なくとも1つのアラームトリガ物体の移動追跡情報を受け取るステップと
クライアントが、インテリジェント分析アラームに従ってユーザインターフェースのウィンドウレイアウトを調整するステップと
を含む。
【００１２】
第2の態様によれば、クライアントが提供され、本クライアントは、
インテリジェント分析アラームおよび少なくとも1つのアラームトリガ物体の移動追跡情報を取得する情報取得モジュールであって、インテリジェント分析アラームは、インテリジェント分析戦略に従って監視現場に侵入物体があると判定したときに、クライアント、監視プラットフォーム、またはカメラによってトリガされる、情報取得モジュールと、
情報取得モジュールによって取得されるインテリジェント分析アラームに従ってユーザインターフェースのウィンドウレイアウトを調整するインターフェース調整モジュールと、
情報取得モジュールによって取得される少なくとも1つのアラームトリガ物体の移動追跡情報に従って少なくとも1つのアラームトリガ物体上で局所的拡大を行う局所的拡大モジュールと
を含む。
【００１３】
第2の態様に関連して、第1の可能な実施態様において、
情報取得モジュールは、さらに、少なくとも1つのアラームトリガ物体が移動した後で、少なくとも1つのアラームトリガ物体の移動追跡情報を引き続き取得し、
局所的拡大モジュールは、さらに、少なくとも1つのアラームトリガ物体が常にユーザインターフェース内の対応するウィンドウのビデオ映像の中心に表示されるように、情報取得モジュールによって取得される少なくとも1つのアラームトリガ物体の移動追跡情報に従って少なくとも1つのアラームトリガ物体上で局所的拡大を行う。
【００１４】
第2の態様の第1の可能な実施態様に関連して、第2の態様の第2の可能な実施態様において、局所的拡大モジュールは、
少なくとも1つのアラームトリガ物体の移動追跡情報から少なくとも1つのアラームトリガ物体の位置情報を取得する情報取得部であって、さらに、現在のリアルタイム画像を取得し、リアルタイム画像を、少なくとも1つのアラームトリガ物体の位置情報と突き合わせて、リアルタイム画像内の少なくとも1つのアラームトリガ物体の位置を見つける情報取得部と、
リアルタイム画像内の少なくとも1つのアラームトリガ物体の位置を中心として用いて、少なくとも1つのアラームトリガ物体上で局所的拡大を行う局所的拡大部と
を含む。
【００１５】
第2の態様に関連して、第2の態様の第3の可能な実施態様において、インテリジェント分析戦略に従って監視現場に侵入物体があると判定したときにインテリジェント分析アラームがクライアントによってトリガされる場合に、
情報取得モジュールは、具体的には、ユーザによって構成されたインテリジェント分析戦略に従って監視現場に侵入物体があると判定されるときに、インターフェース調整モジュールがインテリジェント分析アラームに従ってユーザインターフェースのウィンドウレイアウトを調整するように、インテリジェント分析アラームをトリガし、少なくとも1つのアラームトリガ物体の移動追跡情報を記録する。
【００１６】
第2の態様に関連して、第2の態様の第4の可能な実施態様において、インテリジェント分析戦略に従って監視現場に侵入物体があると判定したときにインテリジェント分析アラームが監視プラットフォームによってトリガされる場合に、
情報取得モジュールは、具体的には、ユーザによって構成されたインテリジェント分析戦略に従って監視現場に侵入物体があると判定したときに、インターフェース調整モジュールがインテリジェント分析アラームに従ってユーザインターフェースのウィンドウレイアウトを調整するように、監視プラットフォームによって報告されるインテリジェント分析アラームを受け取り、インテリジェント分析アラームを生成した後で監視プラットフォームによって取得される少なくとも1つのアラームトリガ物体の移動追跡情報を受け取る。
【００１７】
第3の態様によれば、ビデオ監視システムが提供され、本ビデオ監視システムは、クライアントと、監視プラットフォームと、カメラとを含み、
クライアントは、インテリジェント分析アラームおよび少なくとも1つのアラームトリガ物体の移動追跡情報を取得する情報取得モジュールであって、インテリジェント分析アラームは、インテリジェント分析戦略に従って監視現場に侵入物体があると判定したときに、クライアント、監視プラットフォーム、またはカメラによってトリガされる、情報取得モジュールと、情報取得モジュールによって取得されるインテリジェント分析アラームに従ってユーザインターフェースのウィンドウレイアウトを調整するインターフェース調整モジュールと、情報取得モジュールによって取得される少なくとも1つのアラームトリガ物体の移動追跡情報に従って少なくとも1つのアラームトリガ物体上で局所的拡大を行う局所的拡大モジュールとを含み、
監視プラットフォームは、ユーザによって構成されたインテリジェント分析戦略に従って監視現場に侵入物体があると判定されるときにインテリジェント分析アラームをトリガし、少なくとも1つのアラームトリガ物体の移動追跡情報を記録する情報取得モジュールと、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、クライアントへ、情報取得モジュールによって取得されるインテリジェント分析アラームおよび少なくとも1つのアラームトリガ物体の移動追跡情報を送る情報送信モジュールとを含む。
【００１８】
本発明の実施形態は、ビデオ監視方法、ビデオ監視装置、およびビデオ監視システムを提供する。クライアントが、インテリジェント分析アラームおよび少なくとも1つのアラームトリガ物体の移動追跡情報を取得し、インテリジェント分析アラームに従ってユーザインターフェースのウィンドウレイアウトを調整する。インテリジェント分析アラームは、インテリジェント分析戦略に従って監視現場に侵入物体があると判定したときに、クライアント、監視プラットフォーム、またはカメラによってトリガされる。クライアントは、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００１９】
本発明の実施形態における、または先行技術における技術的解決策をより明確に説明するために、以下に、各実施形態または先行技術を説明するのに必要とされる添付の図面について簡単に記述する。明らかに、以下の説明の添付の図面は、単に、本発明のいくつかの実施形態を示すにすぎず、当業者は、これら添付の図面から難なく他の図面をさらに導出することができる。
【図面の簡単な説明】
【００２０】
【図１】本発明の一実施形態によるクライアント側でのビデオ監視方法の概略的流れ図である。
【図２】本発明の一実施形態によるクライアント側での別のビデオ監視方法の概略的流れ図である。
【図３】本発明の一実施形態による監視プラットフォーム側でのビデオ監視方法の概略的流れ図である。
【図４】本発明の一実施形態によるクライアントの概略的構造図である。
【図５】本発明の一実施形態による別のクライアントの概略的構造図である。
【図６】本発明の一実施形態による監視プラットフォームの概略的構造図である。
【図７】本発明の別の実施形態によるクライアントの概略的構造図である。
【図８】本発明の別の実施形態による監視プラットフォームの概略的構造図である。
【図９】本発明の一実施形態によるビデオ監視システムの概略図である。
【発明を実施するための形態】
【００２１】
以下で、本発明の実施形態における添付の図面を参照して、本発明の実施形態における技術的解決策を明確に、十分に説明する。明らかに、説明される実施形態は、本発明の実施形態の全部ではなく、一部であるにすぎない。本発明の実施形態に基づいて当業者によって難なく得られる他のすべての実施形態は、本発明の保護範囲内に含まれるものである。
【００２２】
本発明の一実施形態は、クライアントによって実装されうるビデオ監視方法を提供する。図1および図2に示すように、本ビデオ監視方法は以下のステップを含む。
【００２３】
101．クライアントが、インテリジェント分析アラームおよび少なくとも1つのアラームトリガ物体の移動追跡情報を取得し、インテリジェント分析アラームに従ってユーザインターフェースのウィンドウレイアウトを調整する。
【００２４】
インテリジェント分析アラームは、インテリジェント分析戦略に従って監視現場に侵入物体があると判定したときに、クライアント、監視プラットフォーム、またはカメラによってトリガされる。インテリジェント分析戦略は、それだけに限らず、ここで例として記述するにすぎないが、以下の4つの戦略、すなわち、境界侵入検知戦略、仕掛け線検知戦略、徘徊検知戦略、および存在検知戦略を含む。
【００２５】
任意選択で、本発明の本実施形態のステップ101の前に、ユーザは、クライアントにおいて、適正なウィンドウレイアウト（例えば「4＋1」ウィンドウレイアウトなど、1つの具体的レイアウトが、上段に大きなペインを、下段に同じサイズの4つの小さいペインを含み、4つの小さいペインは日常的現場監視に使用され、上段の大きいペインは、境界侵入アラーム（すなわち、インテリジェント分析アラーム）が発生した場合に、アラームトリガ物体を追跡するのに使用される）を設定する必要があり、それによって、ユーザは、全監視現場の画像と近距離での移動物体追跡の画像とを比較して、監視現場の状況をより適切に知ることができ、いつでも移動侵入物体に対処することができる。加えて、1つの具体的用途において、ユーザは、実際の適用シナリオに従っていつでもウィンドウレイアウトを調整することもできる。具体的には、クライアントがインテリジェント分析アラームを取得した後で、クライアントは、ユーザインターフェース内のウィンドウを適正なレイアウトに合わせて調整し始め、後で長方形の枠で囲まれたアラームトリガ物体上で局所的拡大を行うために、インテリジェント分析アラームをトリガするアラームトリガ物体を長方形の枠を用いて枠で囲む。
【００２６】
具体的には、インテリジェント分析アラームは、インテリジェント分析を通じて監視現場に侵入物体があると判定したときにクライアントによってトリガされるアラームとすることもでき、インテリジェント分析を通じて監視現場に侵入物体があると判定したときに監視プラットフォームまたはカメラによって報告されるアラームとすることもできる。
【００２７】
任意選択で、インテリジェント分析戦略に従って監視現場に侵入物体があると判定したときにインテリジェント分析アラームがクライアントによってトリガされる場合であって、インテリジェント分析戦略がユーザによって構成される場合に、具体的には、ステップ101は以下のステップを含む。
【００２８】
101a1．ユーザによって構成されたインテリジェント分析戦略に従って監視現場に侵入物体があると判定したときに、クライアントは、インテリジェント分析アラームをトリガし、少なくとも1つのアラームトリガ物体の移動追跡情報を記録する。
【００２９】
101a2．クライアントは、インテリジェント分析アラームに従ってユーザインターフェースのウィンドウレイアウトを調整する。
【００３０】
具体的には、クライアントは、まず、カメラによって監視プラットフォームを介して送られたオーディオ−ビデオストリームを復号してリアルタイムのビデオ画像を取得し、次いで、インテリジェント分析戦略に従い、復号後に取得されたリアルタイムのビデオ画像に基づいてインテリジェント分析を行う。インテリジェントアラームがトリガされる場合（すなわち、カメラの監視現場の範囲内に移動侵入物体があるとき）、インテリジェント分析アラームが生成される。次いで、クライアントは、ユーザインターフェース内の各ウィンドウを、インテリジェント分析アラームに従って適正なレイアウトに合わせて調整し、インテリジェント分析アラームをトリガするアラームトリガ物体上で局所的拡大を行う。
【００３１】
任意選択で、インテリジェント分析戦略に従って監視現場に侵入物体があると判定したときにインテリジェント分析アラームが監視プラットフォームによってトリガされる場合であって、インテリジェント分析戦略を、監視プラットフォームのためにユーザが構成することができ、またはクライアントのためにユーザが構成し、次いで、監視プラットフォームのためにクライアントが構成することができる場合。具体的には、ステップ101は、具体的には、以下のステップを含む。
【００３２】
101b1．クライアントは、ユーザによって構成されたインテリジェント分析戦略に従って監視現場に侵入物体があると判定したときに監視プラットフォームによって報告されるインテリジェント分析アラームを受け取る。
【００３３】
101b2．クライアントは、インテリジェント分析アラームを生成した後で監視プラットフォームによって取得される少なくとも1つのアラームトリガ物体の移動追跡情報を受け取る。
【００３４】
101b3．クライアントは、インテリジェント分析アラームに従ってユーザインターフェースのウィンドウレイアウトを調整する。
【００３５】
具体的には、監視プラットフォームは、カメラによって送られたオーディオ−ビデオストリームを復号してリアルタイムのビデオ画像を取得し、次いで、インテリジェント分析戦略に従い、復号後に取得されたリアルタイムのビデオ画像に基づいてインテリジェント分析を行う。インテリジェントアラームがトリガされる場合（すなわち、カメラの監視現場の範囲内に移動侵入物体があるとき）、インテリジェント分析アラームが生成され、少なくとも1つのアラームトリガ物体の移動追跡情報が記録され、インテリジェント分析アラームおよび少なくとも1つのアラームトリガ物体の移動追跡情報が、一緒に、または別々にクライアントに報告される。最後に、クライアントは、ユーザインターフェース内の各ウィンドウを、受け取ったインテリジェント分析アラームに従って適正なレイアウトに合わせて調整し、インテリジェント分析アラームをトリガするアラームトリガ物体上で局所的拡大を行う。
【００３６】
任意選択で、インテリジェント分析アラームが、インテリジェント分析戦略に従って監視現場に侵入物体があると判定したときにカメラによって生成される場合であって、インテリジェント分析戦略を、カメラのためにユーザが構成することができ、またはクライアントのためにユーザが構成し、次いで、監視プラットフォームのためにクライアントが構成し、最後に、カメラのために監視プラットフォームが構成することができる場合。1つの具体的プロセスは、監視プラットフォームがインテリジェント分析を行う前述のプロセスと同じであり、詳細はここで再度記述しない。
【００３７】
しかし、カメラがインテリジェント分析を行う場合に、そのカメラはネットワークカメラでしかあり得ないことに留意すべきである。カメラがインテリジェント分析を行わず、ビデオ画像を取り込むためにだけ使用される場合には、すなわち、監視現場にただ1台のカメラを配備することにより監視現場内の移動物体の短距離追跡を遂行することができ、それによって費用が低減される。具体的には、カメラは、ネットワークカメラとすることもでき、アナログカメラとすることもできる。
【００３８】
102．クライアントは、少なくとも1つのアラームトリガ物体の移動追跡情報に従って少なくとも1つのアラームトリガ物体上で局所的拡大を行う。
【００３９】
任意選択で、図2に示すように、ステップ102は、具体的には、以下のステップを含む。
【００４０】
102a．クライアントは、少なくとも1つのアラームトリガ物体の移動追跡情報から少なくとも1つのアラームトリガ物体の位置情報を取得する。
【００４１】
具体的には、インテリジェント分析アラームを取得し次第、クライアントは、アラームトリガ物体追跡機能を使用可能にし、それに応じて、少なくとも1つのアラームトリガ物体の移動追跡情報が、リアルタイム追跡により、カメラによって取得される。クライアントは、少なくとも1つのアラームトリガ物体の移動追跡情報からアラームトリガ物体の位置情報を抽出する。具体的には、アラームトリガ物体の具体的位置は、クライアントの1つの小さいウィンドウにおいて長方形の枠を用いて表すことができる。
【００４２】
102b．クライアントは、現在のリアルタイム画像を取得し、リアルタイム画像を、少なくとも1つのアラームトリガ物体の位置情報と突き合わせて、リアルタイム画像内の少なくとも1つのアラームトリガ物体の位置を見つける。
【００４３】
具体的には、クライアントは、カメラによって監視プラットフォームを介して送られたオーディオ−ビデオストリームを受け取り、オーディオ−ビデオストリームを構文解析してオーディオ−ビデオストリームに対応するリアルタイム画像を表示し、リアルタイム画像を少なくとも1つのアラームトリガ物体の位置情報と突き合わせて、リアルタイム画像内の少なくとも1つのアラームトリガ物体の位置を見つける。
【００４４】
102c．クライアントは、リアルタイム画像内の少なくとも1つのアラームトリガ物体の位置を中心として用いて、少なくとも1つのアラームトリガ物体上で局所的拡大を行う。
【００４５】
任意選択で、ステップ102の後に、本方法は以下をさらに含む。
【００４６】
103a．少なくとも1つのアラームトリガ物体が移動した後で、少なくとも1つのアラームトリガ物体の移動追跡情報を引き続き取得する。
【００４７】
103b．クライアントは、少なくとも1つのアラームトリガ物体が常にユーザインターフェース内の対応するウィンドウのビデオ映像の中心に表示されるように、少なくとも1つのアラームトリガ物体の移動追跡情報に従って少なくとも1つのアラームトリガ物体上で局所的拡大を行う。
【００４８】
具体的には、クライアントは、カメラ自体によって報告された、または監視プラットフォームを介してカメラによって報告されたオーディオ−ビデオストリームを復号して、リアルタイムのビデオ画像を取得し、次いで、少なくとも1つのアラームトリガ物体の位置情報をリアルタイムの画像と比較して、リアルタイムビデオ画像内の少なくとも1つのアラームトリガ物体の位置を見つけ、リアルタイムのビデオ画像内の少なくとも1つのアラームトリガ物体の位置を中止として用いて、局所的拡大を行う。「4＋1」ウィンドウレイアウトが用いられる場合、小さいペイン内のアラームトリガ物体の位置を長方形の枠によって表すことができ、そのため、移動物体の周りの詳細がはっきりと見え、また、長方形の枠内の画像は見やすいように拡大され、上段の大きいペインに表示される。物体が移動した後で、クライアントは、引き続き、移動物体を中心として用いて局所的拡大を行い、局所的に拡大された画像を上段の大きいペインに表示することができるように、移動物体の移動追跡情報を引き続き取得する。このようにして、移動物体は常に画像の中心に表示され、ユーザは、下段ペイン内のビデオに従って監視現場全体を監視し続けることができる。
【００４９】
加えて、複数のアラームトリガ物体が監視現場において検知される場合、クライアントは、監視プラットフォームまたはカメラによって報告される複数のトリガ物体の移動追跡情報を取得し、または受け取り、複数のペインを使用して、各アラームトリガ物体を中心として用いて局所的に拡大された画像を同時に表示する。
【００５０】
本発明の本実施形態で提供されるビデオ監視方法においては、クライアントが、インテリジェント分析戦略に従って監視現場に侵入物体があると判定したときに、クライアント自体、監視プラットフォーム、またはカメラによってトリガされるインテリジェント分析アラームに従ってユーザインターフェースのウィンドウレイアウトを調整し、少なくとも1つのアラームトリガ物体の移動追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００５１】
本発明の一実施形態は、監視プラットフォーム側でのビデオ監視方法を提供する。図3に示すように、本ビデオ監視方法は、具体的には、以下のステップを含む。
【００５２】
201．ユーザによって構成されたインテリジェント分析戦略に従って監視現場に侵入物体があると判定したときに、監視プラットフォームが、インテリジェント分析アラームをトリガし、少なくとも1つのアラームトリガ物体の移動追跡情報を記録する。
【００５３】
インテリジェント分析戦略は、それだけに限らず、ここで例として記述するにすぎないが、以下の4つの戦略、すなわち、境界侵入検知戦略、仕掛け線検知戦略、徘徊検知戦略、および存在検知戦略を含む。具体的には、インテリジェント分析戦略は、監視プラットフォームのためにユーザが構成することもでき、クライアントのためにユーザが構成し、次いで、監視プラットフォームのためにクライアントが構成することもできる。
【００５４】
202．監視プラットフォームは、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、インテリジェント分析アラームおよび少なくとも1つのアラームトリガ物体の移動追跡情報をクライアントへ送る。
【００５５】
本発明の本実施形態で提供されるビデオ監視方法においては、監視プラットフォームがクライアントへ、監視プラットフォームがインテリジェント分析戦略に従って監視現場に侵入物体があると判定したときに、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、トリガされたインテリジェント分析アラームおよび記録された少なくとも1つのアラームトリガ物体の移動追跡情報を送る。本発明では、ただ1台のカメラを配備しさえすればよく、それによって、2台のカメラを配備することによって生じる無駄な費用が回避され、アラームトリガ物体上での局所的拡大の効率が改善される。
【００５６】
本発明の一実施形態はクライアントを提供する。図4および図5に示すように、クライアントは、前述のビデオ監視方法を遂行するのに使用され、具体的には、クライアント3は、情報取得モジュール31と、インターフェース調整モジュール32と、局所的拡大モジュール33とを含む。
【００５７】
情報取得モジュール31は、インテリジェント分析アラームおよび少なくとも1つのアラームトリガ物体の移動追跡情報を取得し、インテリジェント分析アラームは、インテリジェント分析戦略に従って監視現場に侵入物体があると判定したときに、クライアント、監視プラットフォーム、またはカメラによってトリガされる。
【００５８】
インターフェース調整モジュール32は、情報取得モジュール31によって取得されるインテリジェント分析アラームに従ってユーザインターフェースのウィンドウレイアウトを調整する。
【００５９】
局所的拡大モジュール33は、情報取得モジュール31によって取得される少なくとも1つのアラームトリガ物体の移動追跡情報に従って少なくとも1つのアラームトリガ物体上で局所的拡大を行う。
【００６０】
任意選択で、情報取得モジュール31は、さらに、少なくとも1つのアラームトリガ物体が移動した後で、少なくとも1つのアラームトリガ物体の移動追跡情報を引き続き取得する。
【００６１】
局所的拡大モジュール33は、さらに、少なくとも1つのアラームトリガ物体が常にユーザインターフェース内の対応するウィンドウのビデオ映像の中心に表示されるように、情報取得モジュール31によって取得される少なくとも1つのアラームトリガ物体の移動追跡情報に従って少なくとも1つのアラームトリガ物体上で局所的拡大を行う。
【００６２】
任意選択で、図5に示すように、局所的拡大モジュール33は、情報取得部331と局所的拡大部332とを含む。
【００６３】
情報取得部331は、少なくとも1つのアラームトリガ物体の移動追跡情報から少なくとも1つのアラームトリガ物体の位置情報を取得する。
【００６４】
情報取得部331は、さらに、現在のリアルタイム画像を取得し、リアルタイム画像を少なくとも1つのアラームトリガ物体の位置情報と突き合わせて、リアルタイム画像内の少なくとも1つのアラームトリガ物体の位置を見つける。
【００６５】
局所的拡大部332は、リアルタイム画像内の少なくとも1つのアラームトリガ物体の位置を中心として用いて、少なくとも1つのアラームトリガ物体上で局所的拡大を行う。
【００６６】
任意選択で、インテリジェント分析戦略に従って監視現場に侵入物体があると判定したときにインテリジェント分析アラームがクライアントによってトリガされる場合に、
情報取得モジュール31は、具体的には、ユーザによって構成されたインテリジェント分析戦略に従って監視現場に侵入物体があると判定されるときに、インターフェース調整モジュール32がインテリジェント分析アラームに従ってユーザインターフェースのウィンドウレイアウトを調整するように、インテリジェント分析アラームをトリガし、少なくとも1つのアラームトリガ物体の移動追跡情報を記録する。
【００６７】
任意選択で、インテリジェント分析戦略に従って監視現場に侵入物体があると判定したときにインテリジェント分析アラームが監視プラットフォームによってトリガされる場合に、
情報取得モジュール31は、具体的には、ユーザによって構成されたインテリジェント分析戦略に従って監視現場に侵入物体があると判定したときに、インターフェース調整モジュール32がインテリジェント分析アラームに従ってユーザインターフェースのウィンドウレイアウトを調整するように、監視プラットフォームによって報告されるインテリジェント分析アラームを受け取り、インテリジェント分析アラームを生成した後で監視プラットフォームによって取得される少なくとも1つのアラームトリガ物体の移動追跡情報を受け取る。
【００６８】
本発明の本実施形態で提供されるクライアントは、インテリジェント分析戦略に従って監視現場に侵入物体があると判定したときに、クライアント自体、監視プラットフォーム、またはカメラによってトリガされるインテリジェント分析アラームに従って、ユーザインターフェースのウィンドウレイアウトを調整し、少なくとも1つのアラームトリガ物体の移動追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００６９】
本発明の一実施形態は監視プラットフォームを提供する。図6に示すように、監視プラットフォームは、前述のビデオ監視方法を遂行するのに使用され、具体的には、監視プラットフォーム4は、情報取得モジュール41と、情報送信モジュール42とを含む。
【００７０】
情報取得モジュール41は、ユーザによって構成されたインテリジェント分析戦略に従って監視現場に侵入物体があると判定されるときに、インテリジェント分析アラームをトリガし、少なくとも1つのアラームトリガ物体の移動追跡情報を記録する。
【００７１】
情報送信モジュール42は、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、クライアントへ、情報取得モジュール41によって取得されるインテリジェント分析アラームおよび少なくとも1つのアラームトリガ物体の移動追跡情報を送る。
【００７２】
本発明の本実施形態で提供される監視プラットフォームは、監視プラットフォームがインテリジェント分析戦略に従って監視現場に侵入物体があると判定したときに、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、クライアントへ、トリガされたインテリジェント分析アラームおよび記録された少なくとも1つのアラームトリガ物体の移動追跡情報を送る。本発明では、ただ1台のカメラを配備しさえすればよく、それによって、2台のカメラを配備することによって生じる無駄な費用が回避され、アラームトリガ物体上での局所的拡大の効率が改善される。
【００７３】
本発明の一実施形態はクライアントを提供する。図7に示すように、クライアント5は、プロセッサ51と受信機52とを含む。
【００７４】
プロセッサ51は、インテリジェント分析アラームおよび少なくとも1つのアラームトリガ物体の移動追跡情報を取得し、インテリジェント分析アラームに従ってユーザインターフェースのウィンドウレイアウトを調整し、インテリジェント分析アラームは、インテリジェント分析戦略に従って監視現場に侵入物体があると判定したときに、クライアント、監視プラットフォーム、またはカメラによってトリガされる。
【００７５】
プロセッサ51は、さらに、少なくとも1つのアラームトリガ物体の移動追跡情報に従って少なくとも1つのアラームトリガ物体上で局所的拡大を行う。
【００７６】
任意選択で、プロセッサ51は、さらに、少なくとも1つのアラームトリガ物体が常にユーザインターフェース内の対応するウィンドウのビデオ映像の中心に表示されるように、少なくとも1つのアラームトリガ物体が移動した後で少なくとも1つのアラームトリガ物体の移動追跡情報を引き続き取得し、少なくとも1つのアラームトリガ物体の移動追跡情報に従って少なくとも1つのアラームトリガ物体上で局所的拡大を行う。
【００７７】
任意選択で、プロセッサ51は、具体的には、少なくとも1つのアラームトリガ物体の移動追跡情報から少なくとも1つのアラームトリガ物体の位置情報を取得し、現在のリアルタイム画像を取得し、リアルタイム画像を少なくとも1つのアラームトリガ物体の位置情報と突き合わせて、リアルタイム画像内の少なくとも1つのアラームトリガ物体の位置を見つけ、リアルタイム画像内の少なくとも1つのアラームトリガ物体の位置を中心として用いて少なくとも1つのアラームトリガ物体上で局所的拡大を行う。
【００７８】
任意選択で、インテリジェント分析戦略に従って監視現場に侵入物体があると判定したときにインテリジェント分析アラームがクライアントによってトリガされる場合に、
プロセッサ51は、さらに、ユーザによって構成されたインテリジェント分析戦略に従って監視現場に侵入物体があると判定されるときに、インテリジェント分析アラームをトリガし、少なくとも1つのアラームトリガ物体の移動追跡情報を記録する。
【００７９】
プロセッサ51は、さらに、インテリジェント分析アラームに従ってユーザインターフェースのウィンドウレイアウトを調整する。
【００８０】
任意選択で、インテリジェント分析戦略に従って監視現場に侵入物体があると判定したときにインテリジェント分析アラームが監視プラットフォームによってトリガされる場合に、
受信機52は、ユーザによって構成されたインテリジェント分析戦略に従って監視現場に侵入物体があると判定したときに監視プラットフォームによって報告されるインテリジェント分析アラームを受け取る。
【００８１】
受信機52は、さらに、インテリジェント分析アラームを生成した後で監視プラットフォームによって取得される少なくとも1つのアラームトリガ物体の移動追跡情報を受け取る。
【００８２】
プロセッサ51は、さらに、インテリジェント分析アラームに従ってユーザインターフェースのウィンドウレイアウトを調整する。
【００８３】
本発明の本実施形態で提供されるクライアントは、インテリジェント分析戦略に従って監視現場に侵入物体があると判定したときに、クライアント自体、監視プラットフォーム、またはカメラによってトリガされるインテリジェント分析アラームに従って、ユーザインターフェースのウィンドウレイアウトを調整し、少なくとも1つのアラームトリガ物体の移動追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００８４】
本発明の一実施形態は監視プラットフォームを提供する。図8に示すように、監視プラットフォーム6は、送信機61とプロセッサ62とを含む。
【００８５】
プロセッサ62は、ユーザによって構成されたインテリジェント分析戦略に従って監視現場に侵入物体があると判定されるときに、インテリジェント分析アラームをトリガし、少なくとも1つのアラームトリガ物体の移動追跡情報を記録する。
【００８６】
送信機61は、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、インテリジェント分析アラームおよび少なくとも1つのアラームトリガ物体の移動追跡情報をクライアントへ送る。
【００８７】
本発明の本実施形態で提供される監視プラットフォームは、監視プラットフォームがインテリジェント分析戦略に従って監視現場に侵入物体があると判定したときに、クライアントがインテリジェント分析アラームに従ってユーザインターフェースのウィンドウレイアウトを調整し、少なくとも1つのアラームトリガ物体の移動追跡情報に従って少なくとも1つのアラームトリガ物体上で局所的拡大を行うように、クライアントへ、トリガされたインテリジェント分析アラームおよび記録された少なくとも1つのアラームトリガ物体の移動追跡情報を送る。本発明では、ただ1台のカメラを配備しさえすればよく、それによって、2台のカメラを配備することによって生じる無駄な費用が回避され、アラームトリガ物体上での局所的拡大の効率が改善される。
【００８８】
本発明の一実施形態はビデオ監視システムを提供する。図9に示すように、ビデオ監視システム7は、クライアント71と監視プラットフォーム72とカメラ73とを含む。クライアント71は、前述のクライアントのうちの任意の1つであり、監視プラットフォーム72は、前述の監視プラットフォームのうちの任意の1つであり、カメラ73は、前述のカメラのうちの任意の1つである。
【００８９】
具体的には、ビデオ監視システムは、クライアントと監視プラットフォームとカメラの3つの部分に分けられる。しかし、1つの具体的実装形態において、クライアントと監視プラットフォームは統合されていてよい。
【００９０】
本発明の本実施形態で提供されるビデオ監視システムにおいて、クライアントは、インテリジェント分析戦略に従って監視現場に侵入物体があると判定したときに、クライアント自体、監視プラットフォーム、またはカメラによってトリガされるインテリジェント分析アラームに従って、ユーザインターフェースのウィンドウレイアウトを調整し、少なくとも1つのアラームトリガ物体の移動追跡情報を取得して、少なくとも1つのアラームトリガ物体の移動追跡情報に従って少なくとも1つのアラームトリガ物体上で局所的拡大を行う。本発明では、ただ1台のカメラを配備しさえすればよく、それによって、2台のカメラを配備することによって生じる無駄な費用が回避され、アラームトリガ物体上での局所的拡大の効率が改善される。
【００９１】
当業者は、前述の方法実施形態の各ステップの全部または一部を関連ハードウェアに命令するプログラムによって実装することができることを理解するであろう。前述のプログラムは、コンピュータ可読記憶媒体に記憶することができる。プログラムが走ると、前述の方法の各ステップが行われる。前述の記憶媒体は、ROM、RAM、磁気ディスク、光ディスクといった、プログラムコードを記憶することのできる任意の媒体を含む。
【００９２】
以上の説明は、単に、本発明の具体的実装態様であるにすぎず、本発明の保護範囲を限定するためのものではない。本発明で開示される技術的範囲内で当業者によって容易に考案されるいかなる変形も置換も、本発明の保護範囲内に含まれるものとする。したがって、本発明の保護範囲は、特許請求の範囲の保護範囲に従うものとする。
【符号の説明】
【００９３】
3  クライアント
4  監視プラットフォーム
5  クライアント
6  監視プラットフォーム
7  ビデオ監視システム
31  情報取得モジュール
32  インターフェース調整モジュール
33  局所的拡大モジュール
41  情報取得モジュール
42  情報送信モジュール
51  プロセッサ
52  受信機
61  送信機
62  プロセッサ
71  クライアント
72  監視プラットフォーム
73  カメラ
331  情報取得部
332  局所的拡大部
【手続補正２】
【補正対象書類名】特許請求の範囲
【補正対象項目名】全文
【補正方法】変更
【補正の内容】
【特許請求の範囲】
【請求項１】
クライアントが、インテリジェント分析アラームおよび少なくとも1つのアラームトリガ物体の移動追跡情報を取得し、前記インテリジェント分析アラームに従ってユーザインターフェースのウィンドウレイアウトを調整するステップであって、前記インテリジェント分析アラームは、インテリジェント分析戦略に従って監視現場に侵入物体があると判定したときに、前記クライアント、監視プラットフォーム、またはカメラによってトリガされる、クライアントが、インテリジェント分析アラームおよび少なくとも1つのアラームトリガ物体の移動追跡情報を取得し、前記インテリジェント分析アラームに従ってユーザインターフェースのウィンドウレイアウトを調整する前記ステップと、
前記クライアントが、前記少なくとも1つのアラームトリガ物体の移動追跡情報に従って前記少なくとも1つのアラームトリガ物体上で局所的拡大を行うステップと
を含むビデオ監視方法。
【請求項２】
前記クライアントが、前記少なくとも1つのアラームトリガ物体が移動した後で、前記少なくとも1つのアラームトリガ物体の前記移動追跡情報を引き続き取得するステップと、
前記少なくとも1つのアラームトリガ物体が常に前記ユーザインターフェース内の対応するウィンドウのビデオ映像の中心に表示されるように、前記クライアントが、前記少なくとも1つのアラームトリガ物体の前記移動追跡情報に従って前記少なくとも1つのアラームトリガ物体上で局所的拡大を行うステップと
をさらに含む、請求項1に記載のビデオ監視方法。
【請求項３】
前記クライアントが、前記少なくとも1つのアラームトリガ物体の移動追跡情報に従って前記少なくとも1つのアラームトリガ物体上で局所的拡大を行う前記ステップは、
前記クライアントが、前記少なくとも1つのアラームトリガ物体の前記移動追跡情報から前記少なくとも1つのアラームトリガ物体の位置情報を取得するステップと、
前記クライアントが、現在のリアルタイム画像を取得し、前記リアルタイム画像を、前記少なくとも1つのアラームトリガ物体の前記位置情報と突き合わせて、前記リアルタイム画像内の前記少なくとも1つのアラームトリガ物体の位置を見つけるステップと、
前記クライアントが、前記リアルタイム画像内の前記少なくとも1つのアラームトリガ物体の前記位置を中心として用いて、前記少なくとも1つのアラームトリガ物体上で局所的拡大を行うステップと
を含む、請求項2に記載のビデオ監視方法。
【請求項４】
前記インテリジェント分析戦略に従って前記監視現場に侵入物体があると判定したときに前記インテリジェント分析アラームが前記クライアントによってトリガされる場合に、
クライアントが、インテリジェント分析アラームおよび少なくとも1つのアラームトリガ物体の移動追跡情報を取得し、インテリジェント分析アラームに従ってユーザインターフェースのウィンドウレイアウトを調整する前記ステップは、
前記クライアントが、ユーザによって構成されたインテリジェント分析戦略に従って前記監視現場に侵入物体があると判定したときに前記インテリジェント分析アラームをトリガし、前記少なくとも1つのアラームトリガ物体の前記移動追跡情報を記録するステップと、
前記クライアントが、前記インテリジェント分析アラームに従って前記ユーザインターフェースの前記ウィンドウレイアウトを調整するステップと
を含む、請求項1から3のいずれか一項に記載のビデオ監視方法。
【請求項５】
前記インテリジェント分析戦略に従って前記監視現場に侵入物体があると判定したときに前記インテリジェント分析アラームが前記監視プラットフォームによってトリガされる場合に、
クライアントが、インテリジェント分析アラームおよび少なくとも1つのアラームトリガ物体の移動追跡情報を取得し、インテリジェント分析アラームに従ってユーザインターフェースのウィンドウレイアウトを調整する前記ステップは、
前記クライアントが、ユーザによって構成されたインテリジェント分析戦略に従って前記監視現場に侵入物体があると判定したときに前記監視プラットフォームによって報告される前記インテリジェント分析アラームを受け取るステップと、
前記クライアントが、前記インテリジェント分析アラームを生成した後で前記監視プラットフォームによって取得される前記少なくとも1つのアラームトリガ物体の前記移動追跡情報を受け取るステップと
前記クライアントが、前記インテリジェント分析アラームに従って前記ユーザインターフェースの前記ウィンドウレイアウトを調整するステップと
を含む、請求項1から3のいずれか一項に記載のビデオ監視方法。
【請求項６】
インテリジェント分析アラームおよび少なくとも1つのアラームトリガ物体の移動追跡情報を取得する情報取得モジュールであって、前記インテリジェント分析アラームは、インテリジェント分析戦略に従って監視現場に侵入物体があると判定したときに、クライアント、監視プラットフォーム、またはカメラによってトリガされる、前記情報取得モジュールと、
前記情報取得モジュールによって取得される前記インテリジェント分析アラームに従ってユーザインターフェースのウィンドウレイアウトを調整するインターフェース調整モジュールと、
前記情報取得モジュールによって取得される前記少なくとも1つのアラームトリガ物体の移動追跡情報に従って前記少なくとも1つのアラームトリガ物体上で局所的拡大を行う局所的拡大モジュールと
を含むクライアント。
【請求項７】
前記情報取得モジュールは、さらに、前記少なくとも1つのアラームトリガ物体が移動した後で、前記少なくとも1つのアラームトリガ物体の前記移動追跡情報を引き続き取得し、
前記局所的拡大モジュールは、さらに、前記少なくとも1つのアラームトリガ物体が常に前記ユーザインターフェース内の対応するウィンドウのビデオ映像の中心に表示されるように、前記情報取得モジュールによって取得される前記少なくとも1つのアラームトリガ物体の前記移動追跡情報に従って前記少なくとも1つのアラームトリガ物体上で局所的拡大を行う、請求項6に記載のクライアント。
【請求項８】
前記局所的拡大モジュールは、
前記少なくとも1つのアラームトリガ物体の前記移動追跡情報から前記少なくとも1つのアラームトリガ物体の位置情報を取得する情報取得部であって、さらに、現在のリアルタイム画像を取得し、前記リアルタイム画像を前記少なくとも1つのアラームトリガ物体の前記位置情報と突き合わせて、前記リアルタイム画像内の前記少なくとも1つのアラームトリガ物体の位置を見つける、前記情報取得部と、
前記リアルタイム画像内の前記少なくとも1つのアラームトリガ物体の前記位置を中心として用いて前記少なくとも1つのアラームトリガ物体上で局所的拡大を行う局所的拡大部と
を含む、請求項7に記載のクライアント。
【請求項９】
前記インテリジェント分析戦略に従って前記監視現場に侵入物体があると判定したときに前記インテリジェント分析アラームが前記クライアントによってトリガされる場合に、
前記情報取得モジュールは、具体的には、ユーザによって構成されたインテリジェント分析戦略に従って前記監視現場に侵入物体があると判定されるときに、前記インターフェース調整モジュールが前記インテリジェント分析アラームに従って前記ユーザインターフェースの前記ウィンドウレイアウトを調整するように、前記インテリジェント分析アラームをトリガし、前記少なくとも1つのアラームトリガ物体の前記移動追跡情報を記録する、請求項6に記載のクライアント。
【請求項１０】
前記インテリジェント分析戦略に従って前記監視現場に侵入物体があると判定したときに前記インテリジェント分析アラームが前記監視プラットフォームによってトリガされる場合に、
前記情報取得モジュールは、具体的には、前記インターフェース調整モジュールが前記インテリジェント分析アラームに従って前記ユーザインターフェースの前記ウィンドウレイアウトを調整するように、ユーザによって構成されたインテリジェント分析戦略に従って前記監視現場に侵入物体があると判定したときに前記監視プラットフォームによって報告される前記インテリジェント分析アラームを受け取り、前記インテリジェント分析アラームを生成した後で前記監視プラットフォームによって取得される前記少なくとも1つのアラームトリガ物体の前記移動追跡情報を受け取る、請求項6に記載のクライアント。
【請求項１１】
クライアントと、監視プラットフォームと、カメラとを含むビデオ監視システムであって、
前記クライアントは、インテリジェント分析アラームおよび少なくとも1つのアラームトリガ物体の移動追跡情報を取得する情報取得モジュールであって、前記インテリジェント分析アラームは、インテリジェント分析戦略に従って監視現場に侵入物体があると判定したときに、前記クライアント、監視プラットフォーム、またはカメラによってトリガされる、前記情報取得モジュールと、前記情報取得モジュールによって取得される前記インテリジェント分析アラームに従ってユーザインターフェースのウィンドウレイアウトを調整するインターフェース調整モジュールと、前記情報取得モジュールによって取得される前記少なくとも1つのアラームトリガ物体の移動追跡情報に従って前記少なくとも1つのアラームトリガ物体上で局所的拡大を行う局所的拡大モジュールとを含み、
前記監視プラットフォームは、ユーザによって構成されたインテリジェント分析戦略に従って監視現場に侵入物体があると判定されるときにインテリジェント分析アラームをトリガし、少なくとも1つのアラームトリガ物体の移動追跡情報を記録する情報取得モジュールと、クライアントが前記インテリジェント分析アラームに従ってユーザインターフェースのウィンドウレイアウトを調整し、前記少なくとも1つのアラームトリガ物体の移動追跡情報に従って前記少なくとも1つのアラームトリガ物体上で局所的拡大を行うように、前記クライアントへ、前記情報取得モジュールによって取得される前記インテリジェント分析アラームおよび前記少なくとも1つのアラームトリガ物体の前記移動追跡情報を送る情報送信モジュールとを含む、ビデオ監視システム。
【請求項１２】
前記情報取得モジュールは、さらに、前記少なくとも1つのアラームトリガ物体が移動した後で、前記少なくとも1つのアラームトリガ物体の前記移動追跡情報を引き続き取得し、
前記局所的拡大モジュールは、さらに、前記少なくとも1つのアラームトリガ物体が常に前記ユーザインターフェース内の対応するウィンドウのビデオ映像の中心に表示されるように、前記情報取得モジュールによって取得される前記少なくとも1つのアラームトリガ物体の前記移動追跡情報に従って前記少なくとも1つのアラームトリガ物体上で局所的拡大を行う、請求項11に記載のビデオ監視システム。
【請求項１３】
前記局所的拡大モジュールは、
前記少なくとも1つのアラームトリガ物体の前記移動追跡情報から前記少なくとも1つのアラームトリガ物体の位置情報を取得する情報取得部であって、さらに、現在のリアルタイム画像を取得し、前記リアルタイム画像を前記少なくとも1つのアラームトリガ物体の前記位置情報と突き合わせて、前記リアルタイム画像内の前記少なくとも1つのアラームトリガ物体の位置を見つける、前記情報取得部と、
前記リアルタイム画像内の前記少なくとも1つのアラームトリガ物体の前記位置を中心として用いて前記少なくとも1つのアラームトリガ物体上で局所的拡大を行う局所的拡大部と
を含む、請求項12に記載のビデオ監視システム。
【請求項１４】
前記インテリジェント分析戦略に従って前記監視現場に侵入物体があると判定したときに前記インテリジェント分析アラームが前記クライアントによってトリガされる場合に、
前記情報取得モジュールは、具体的には、ユーザによって構成されたインテリジェント分析戦略に従って前記監視現場に侵入物体があると判定されるときに、前記インターフェース調整モジュールが前記インテリジェント分析アラームに従って前記ユーザインターフェースの前記ウィンドウレイアウトを調整するように、前記インテリジェント分析アラームをトリガし、前記少なくとも1つのアラームトリガ物体の前記移動追跡情報を記録する、請求項11に記載のビデオ監視システム。
【請求項１５】
前記インテリジェント分析戦略に従って前記監視現場に侵入物体があると判定したときに前記インテリジェント分析アラームが前記監視プラットフォームによってトリガされる場合に、
前記情報取得モジュールは、具体的には、前記インターフェース調整モジュールが前記インテリジェント分析アラームに従って前記ユーザインターフェースの前記ウィンドウレイアウトを調整するように、ユーザによって構成されたインテリジェント分析戦略に従って前記監視現場に侵入物体があると判定したときに前記監視プラットフォームによって報告される前記インテリジェント分析アラームを受け取り、前記インテリジェント分析アラームを生成した後で前記監視プラットフォームによって取得される前記少なくとも1つのアラームトリガ物体の前記移動追跡情報を受け取る、請求項11に記載のビデオ監視システム。
【国際調査報告】
2016526338.tif 000012
2016526338.tif 000013
2016526338.tif 000014
2016526338.tif 000015